(57)【特許請求の範囲】
【請求項１】
歯槽骨に埋入され、上部構造が構築される前のフィクスチャーに装着される装着部が形成され、前記フィクスチャーに装着したときに、前記フィクスチャーが埋入された位置の隣在歯の咬合面より低く形成された器具本体と、
前記器具本体の胴部から、前記隣在歯に向かって突出した円柱状または板状に形成され、前記隣在歯に当接する支持部とを備えた歯科用器具。
【請求項２】
前記支持部は、前記器具本体から両側の前記隣在歯の方向に突出して、前記隣在歯に挟持される請求項１記載の歯科用器具。
【請求項３】
前記支持部には、前記器具本体と着脱自在な機構が形成されている請求項１または２記載の歯科用器具。
【請求項４】
前記器具本体からの前記支持部の突出量が変更可能な機構が形成されている請求項１または２記載の歯科用器具。
【請求項５】
前記器具本体は、前記装着部により前記フィクスチャーに装着されたときに、前記隣在歯の咬合面より低く形成されている請求項１から４のいずれかの項に記載の歯科用器具。
【請求項６】
前記支持部は、前記隣在歯の接触点に当接するように、前記器具本体の高さ位置に形成されている請求項１から５のいずれかの項に記載の歯科用器具。
【請求項７】
前記支持部に、矯正用の紐状体を引っ掛ける係止部が形成されている請求項１から６のいずれかの項に記載の歯科用器具。
【請求項８】
前記支持部に、矯正用の紐状体を引っ掛ける貫通孔または有底の穴が形成されている請求項１から６のいずれかの項に記載の歯科用器具。
【請求項９】
前記器具本体に、矯正用のワイヤを装着するブラケットが設けられている請求項１から８のいずれかの項に記載の歯科用器具。
【発明の詳細な説明】
【技術分野】
【０００１】
本発明は、欠損歯に隣接する隣在歯が、空間となった欠損歯側に倒れ込まないようにするための歯科用器具に関するに関するものである。
【背景技術】
【０００２】
歯牙が喪失すると、歯牙のあったところに空間ができる。この状態で放置すると、欠損歯に隣接する隣在歯が空いた空間に倒れ込むように移動してしまう。そうなると噛み合わせが悪化するので、隣在歯を元の場所に矯正する必要が生じる。隣在歯を矯正する従来の歯科用器具として、例えば、特許文献１，２に記載されたものが知られている。
特許文献１に記載の歯科矯正用医療用具は、永久磁石を内包する一対の磁石構造体と、磁石構造体を略１軸上に沿ってのみ移動可能とする形状を有するホルダーと、各々の磁石構造体に固定された口内に固定するための固定部材とを備え、一対の磁石構造体を磁気反発させるようにホルダーに配置したものである。
【０００３】
また、特許文献２に記載の歯列矯正具は、一方が開放されたシリンダーと、シリンダーの内部に挿入されるスプリングと、シリンダーからスプリングが離脱しないようにスプリングの弾性力を受けるプレスとを備え、欠損歯部に取り付けられて欠損歯部の左右の歯牙に接して、スプリングの弾性力により押さえるようにしたものである。
【先行技術文献】
【特許文献】
【０００４】
【特許文献１】特開２００２−１０２２５７号公報
【特許文献２】特表２００８−５３２６１４号公報
【発明の概要】
【発明が解決しようとする課題】
【０００５】
特許文献１に記載の歯科矯正用医療用具や特許文献２に記載の歯列矯正具は、欠損歯側に移動してしまった隣在歯を矯正するものである。
例えば、インプラント施術では、一次手術で、欠損歯フィクスチャーを患者の歯槽骨に埋入し、このフィクスチャーにヒーリングアバットメントを装着して治癒期間を経て、二次手術にて上部構造を構築する。この治癒期間に、フィクスチャーが埋入された位置の隣在歯が倒れ込む。そこで、隣在歯が倒れ込んでしまう前に、予防として隣在歯が移動しないようにできればよいが、特許文献１，２に記載の従来の歯科用器具を、予防的に使用すると、欠損歯側とは反対側に隣在歯が傾斜したり移動したりしてしまうおそれがある。
【０００６】
そこで本発明は、隣在歯の移動を予防的に抑止したり、移動してしまった隣在歯を矯正したりすることができる歯科用器具を提供することを目的とする。
【課題を解決するための手段】
【０００７】
本発明の歯科用器具は、歯槽骨に埋入されたフィクスチャーに装着される装着部と、前記フィクスチャーが埋入された位置の隣在歯に当接する支持部とを備えたことを特徴とする。
【０００８】
本発明の歯科用器具は、装着部が歯槽骨に埋入されたフィクスチャーに装着されるのでしっかりと固定することができる。そして、支持部が、フィクスチャーが埋入された位置の隣在歯に当接するため、本発明の歯科用器具を移動する前の状態の隣在歯に使用すれば、予防的に隣在歯の傾斜を抑止することができる。また、本発明の歯科用器具を移動してしまった隣在歯に使用すれば、隣在歯を矯正して元の位置に復帰させることができる。
【０００９】
前記支持部は、前記装着部が形成された器具本体から、前記隣在歯に向かって突出するように形成されていることが望ましい。
フィクスチャーに装着部を装着させて器具本体をフィクスチャーに立設すると、器具本体から隣在歯の方へ突出した支持部が隣在歯に当接する。従って、器具本体がフィクスチャーに固定された状態で、支持部が、隣在歯の倒れ込みを防止したり、フィクスチャー側に倒れ込んだ隣在歯を矯正したりすることができる。
【００１０】
前記支持部が、前記器具本体から両側の前記隣在歯の方向に突出して、前記隣在歯に挟持されると、器具本体が支持部によって支えられるので、治癒期間におけるフィクスチャーへの負担を軽減することができる。
【００１１】
前記支持部に、前記器具本体と着脱自在な機構が形成されていると、器具本体から支持部を取り外し、長さの異なる支持部を、容易に取り付けることができる。
【００１２】
前記器具本体からの前記支持部の突出量が変更可能な機構が形成されていれば、器具本体をフィクスチャーに装着した状態で、支持部の突出長さを変更することができる。
【００１３】
前記器具本体が、前記装着部により前記フィクスチャーに装着されたときに、前記隣在歯の咬合面より低く形成されていると、噛み合わせの際に、器具本体が対向歯の邪魔にならない。
【００１４】
前記支持部が、前記隣在歯の接触点に当接するように、前記器具本体の高さ位置に形成されているようにすると、歯列弓の維持、咬合圧の分散等を図ることができる。
【００１５】
前記支持部に、矯正用の紐状体を引っ掛ける係止部が形成されていると、本発明の歯科用器具を紐状体の支柱として機能させることができる。
【００１６】
前記支持部に、矯正用の紐状体を引っ掛ける貫通孔または有底の穴が形成されていても、本発明の歯科用器具を紐状体の支柱として機能させることができる。
【００１７】
前記器具本体に、矯正用のワイヤを装着するブラケットが設けられていると、隣在歯以外の矯正を行いながら、フィクスチャーに隣接する隣在歯の倒れ込みを防止したり、隣在歯の矯正を行ったりすることができる。
【発明の効果】
【００１８】
本発明の歯科用器具は、フィクスチャーが埋入された位置の隣在歯に、支持部が当接するため、移動前の隣在歯や、移動してしまった隣在歯に使用して、隣在歯の移動を規制したり、矯正して元の位置に復帰させたりすることができる。
【図面の簡単な説明】
【００１９】
【図１】本実施の形態１に係る歯科用器具をフィクスチャーに装着した状態を示す図である。
【図２】図１に示す歯科用器具の斜視図である。
【図３】図１に示す歯科用器具にねじが挿入された状態の断面図である。
【図４】図１に示す歯科用器具の第１変形例の断面図である。
【図５】図１に示す歯科用器具の第２変形例の斜視図である。
【発明を実施するための形態】
【００２０】
本発明の実施の形態に係る歯科用器具を図面に基づいて説明する。
本実施の形態に係る歯科用器具は、患者の歯槽骨に埋入されたフィクスチャーに装着されて、欠損歯に隣接する隣在歯が、空間となった欠損歯側に倒れ込まないようにするためのものである。
【００２１】
図１に示すように歯科用器具１０は、器具本体２０と、支持部３０とを備えている。
器具本体２０は、スクリュードライバ（図示せず）を差し込み、フィクスチャー４０に固定するための細長のアクセスホール２１が形成されていることで、内部が軸線に沿って空洞が形成された筒状に形成されている。器具本体２０の基端部には、ねじ４１が挿通するねじ孔２２が形成されている。
器具本体２０の基端部には、フィクスチャー４０の嵌合穴（プラットフォーム）に嵌合する装着部２３が形成されている。装着部２３は、直径が徐々に小さくなる円環状の傾斜面に形成されている。
器具本体２０の高さは、歯科用器具１０をフィクスチャー４０に装着したときに、欠損歯に隣接する隣在歯Ｔ１，Ｔ２の咬合面Ｔｓより低くなるように形成されている。
【００２２】
支持部３０は、器具本体２０の胴部に一対設けられている。支持部３０は、器具本体２０の周囲面２０ａから水平方向Ｆ１に、かつそれぞれが反対方向に延びるように突出している。支持部３０は、先端部から基端部まで、同じ直径に形成された円柱状体である。
支持部３０は、歯科用器具１０をフィクスチャー４０に装着したときに、隣在歯Ｔ１，Ｔ２の接触点Ｔｐに当接するように器具本体２０の高さ位置に形成されている。
【００２３】
支持部３０は、隣在歯Ｔ１，Ｔ２と当接する先端部３１と反対となる基端部３２に、器具本体２０と着脱自在な機構が形成されている。本実施の形態では、図３に示すように、支持部３０の基端部３２が雄ねじに形成されており、雄ねじが器具本体２０に設けられた取付穴２４に、ねじ込まれている。
【００２４】
以上のように構成された本発明の実施の形態に係る歯科用器具の使用状態について、図面に基づいて説明する。
患者は、フィクスチャー４０を歯槽骨Ｂ０に埋入した状態で治癒期間に入る。歯科医師は、歯科用器具１０をフィクスチャー４０に装着する。
フィクスチャー４０に装着部２３を装着させて、器具本体２０をフィクスチャー４０に立設することで、器具本体２０から隣在歯Ｔ１，Ｔ２の方へ突出した支持部３０が隣在歯Ｔ１，Ｔ２に当接する。
従って、隣在歯Ｔ１，Ｔ２が欠損歯側であるフィクスチャー４０の方へ倒れ込もうとしても、器具本体２０がフィクスチャー４０に固定された状態で、支持部３０が隣在歯Ｔ１，Ｔ２を支持しているため、隣在歯Ｔ１，Ｔ２の移動が規制される。これにより、歯科用器具１０は、予防的に隣在歯Ｔ１，Ｔ２の傾斜を抑止することができる。
【００２５】
また、器具本体２０は、装着部２３によりフィクスチャー４０に装着されたときに、隣在歯Ｔ１，Ｔ２の咬合面Ｔｓより低く形成されているため、噛み合わせの際に、対向歯が器具本体２０の天面２０ｂに接触しないため、対向歯の邪魔にならない。
【００２６】
更に、支持部３０は、隣在歯Ｔ１，Ｔ２の接触点Ｔｐに当接するように、器具本体２０の高さ位置に形成されているため、歯列弓の維持、咬合圧の分散等を図ることができる。
【００２７】
ここで、器具本体２０から両側の隣在歯Ｔ１，Ｔ２の方向に突出する支持部３０の長さが、隣在歯Ｔ１，Ｔ２から挟持される程度に長いと、器具本体２０が支持部３０によって支えられるので、治癒期間におけるフィクスチャー４０への負担を軽減することができる。
【００２８】
更に、歯科用器具１０を治療の治癒期間に使用するのではなく、隣在歯Ｔ１，Ｔ２の矯正に使用する場合を説明する。
隣在歯Ｔ１，Ｔ２の姿勢を一度で元の状態に戻せない場合には、隣在歯Ｔ１，Ｔ２を段階的に復帰させる必要がある。その場合、まずは、隣在歯Ｔ１，Ｔ２に負荷を掛けるような支持部３０の長さのものとする。そうすることで、隣在歯Ｔ１，Ｔ２が支持部３０に押圧されて、歯科用器具１０と反対となる方向に移動する。次の段階では、支持部３０を器具本体２０から取り外し、少し長い支持部３０を器具本体２０へ取り付ける。これを繰り返すことで、隣在歯Ｔ１，Ｔ２を移動前の姿勢に復帰させることができる。
このように支持部３０が器具本体２０と着脱自在であるため、器具本体２０から支持部３０を取り外し、長さの異なる支持部３０を、容易に取り付けることができる。
【００２９】
以上、本実施の形態では、器具本体２０に一対の支持部３０が形成され、フィクスチャー４０の両側の隣在歯Ｔ１，Ｔ２の移動を抑止したり、矯正したりしているが、いずれか一方の支持部３０を器具本体２０に設けて、片方の隣在歯だけを対象に、移動の抑止や矯正を行うようにしてもよい。
【００３０】
また、支持部３０は円柱状に形成されているが、板状でもよい。また、支持部は、基端部が太く、先端部が細くてもよいし、その反対に、基端部が細く、先端部が太くてもよい。
更に、器具本体が、支持部３０の先端部までの範囲を含むような直径、または楕円形で形成されていれば、支持部３０は省略でき、隣在歯Ｔ１，Ｔ２に接触する器具本体の胴部を支持部とすることができる。
【００３１】
次に、本発明の実施の形態に係る歯科用器具の変形例を図面に基づいて説明する。なお、図４においては、図３と同じ構成のものは同符号を付して説明を省略する。
図４に示す歯科用器具１０ｘの器具本体２０ｘには、図３に示す歯科用器具１０の支持部３０を装着する取付穴２４を、内周面にねじ溝が形成された貫通孔とした、取付穴２４ｘが形成されている。
【００３２】
また、この取付穴２４ｘにねじ込まれる支持部３０ｘは、円柱棒状に形成されている。支持部３０ｘの外周面には、取付穴２４ｘのねじ溝に螺合するねじ部３３が形成されている。ねじ部３３の長さは、隣在歯に当接して各段階の矯正する際に、隣在歯の押圧度合いに応じて、支持部３０ｘの器具本体２０ｘからの突出量が調整できる長さに形成されている。
このように、器具本体２０ｘからの支持部３０ｘの突出量が変更可能な機構として、支持部３０ｘの外周面にねじ山が形成され、支持部３０ｘが器具本体２０ｘにねじ込まれることで、支持部３０ｘのねじ込み量を変更すれば、器具本体２０ｘの取付穴２４ｘから支持部３０ｘの突出量を、支持部３０ｘを器具本体２０ｘから取り外すことなく、容易に調整することができる。
【００３３】
図５に示す歯科用器具１０ｙの器具本体２０ｙには、長さ方向が、器具本体２０ｙの直径方向Ｆ２で、深さ方向がアクセスホール２１に沿った方向Ｆ３に形成されたスリット２５が形成されている。このスリット２５には、板状の支持部３０ｙが嵌め込まれている。
このように支持部３０ｙをスリット２５に嵌め込む板状としても、支持部３０ｙを器具本体２０ｙから着脱自在とすることができる。また、支持部３０ｙの長さを、図１に示す隣在歯Ｔ１，Ｔ２同士の間隔とすれば、フィクスチャー４０が隣在歯Ｔ１，Ｔ２の間のどの位置にあっても、支持部３０ｙの先端部３１を隣在歯Ｔ１，Ｔ２に当接させることができる。
図５に示す器具本体２０ｙのスリット２５は、支持部３０ｙを挿入することができれば、その間隔を変更することができる。また、支持部３０ｙをスリット２５に接着させ、支持部３０ｙの一方の先端部３１が一方の隣在歯に当接して、支持していれば、他方の先端部３１を他方の隣在歯に当接させない状態とすることも可能である。
また、板状の支持部を円弧状にしたり、折れ曲がり部分を形成したりして、板状の支持部が器具本体に形成したスリットに係止するようにすれば、支持部をスリットから抜けないようにすることができる。従って、支持部をスリットに接着しなくても、支持部の一方の先端部を一方の隣在歯に当接させ、支持させることができる。
【００３４】
図３に示す支持部３０および図４に示す支持部３０ｘは、器具本体２０，２０ｘから隣在歯に向かって棒状体が突出しているが、例えば、この支持部３０ｘに矯正用のワイヤやエストラマーゴムバンド（弾性環状体）などの紐状体を引っ掛けるための係止部を設けてもよい。
この係止部は、真っ直ぐな突起とすることができる。突起の延びる方向は、支持部３０，３０ｘが隣在歯へ向かう方向（以下、この方向を隣在歯方向と称する。）と直交する方向から、隣在歯方向と反対となる方向までの範囲とすることができ、この範囲であれば、真っ直ぐな突起にエストラマーゴムバンドを引っ掛けることができる。
【００３５】
また、この突起の先端部を、隣在歯方向と直交する方向から、隣在歯方向と反対となる方向に、折り曲げたＬ字状突起とすることができる。例えば、突起を支持部３０，３０ｘの軸線から水平方向に突出させたときには、先端部を、上方、下方、または隣在歯方向反対へ折り曲げることができる。
更に、支持部３０，３０ｘに、ワイヤやエストラマーゴムバンドが繋がったフックを引っ掛けるための有底の穴を形成したり、貫通孔を形成したりすることができる。支持部３０，３０ｘに貫通孔を形成した場合には、矯正用のワイヤやエストラマーゴムバンドを挿通させることができる。
【００３６】
また、支持部３０ｙは、支持部３０，３０ｘと同様に、真っ直ぐな突起やＬ字状に先端が折り曲げられた突起、貫通孔、有底の穴を形成することができる。
更に、筒状体を支持部３０ｙに設けることで、貫通孔と同じ効果が得られる。
このように、支持部に、真っ直ぐな突起や、先端部を折り曲げた突起、貫通孔、有底の穴を形成することで、歯科用器具をワイヤやエストラマーゴムバンドの支柱として使用することができる。
真っ直ぐな突起、先端部を折り曲げた突起、貫通孔または有底の穴は、組み合わせて形成することができる。
【００３７】
また、器具本体２０，２０ｘ，２０ｙの胴部に、矯正用のワイヤを通すブラケットを装着させることも可能である。
そうすることで、隣在歯以外の矯正を行いながら、フィクスチャーに隣接する隣在歯の倒れ込みを防止したり、隣在歯の矯正を行ったりすることができる。
【産業上の利用可能性】
【００３８】
本発明の歯科用器具は、フィクスチャーが埋設された状態で、アバットメントや上部構造がフィクスチャーに装着されていない患者に好適である。
【符号の説明】
【００３９】
１０，１０ｘ，１０ｙ  歯科用器具
２０，２０ｘ，２０ｙ  器具本体
２０ａ  周囲面
２０ｂ  天面
２１  アクセスホール
２２  ねじ孔
２３  装着部
２４，２４ｘ  取付穴
２５  スリット
３０，３０ｘ，３０ｙ  支持部
３１  先端部
３２  基端部
３３  ねじ部
４０  フィクスチャー
Ｂ０  歯槽骨
Ｔ１，Ｔ２  隣在歯
Ｔｓ  咬合面
Ｔｐ  接触点
Ｆ１  水平方向
Ｆ２  直径方向
Ｆ３  アクセスホールに沿った方向Ｆ３
【図１】
0006482900.tif 000002
【図２】
0006482900.tif 000003
【図３】
0006482900.tif 000004
【図４】
0006482900.tif 000005
【図５】
0006482900.tif 000006